(57)【要約】【課題】  コンパクトな構造の水位差検知装置を得ることである。【解決手段】  一つの固定シーブ３６に巻回されたワイヤ３７の一端に水路の上流側の水位に応動するフロートを固定し他端にウェイト３８を固定した上流側水位検出機構３１と、一つの固定シーブ４３に巻回されたワイヤ４４の一端に水路の下流側の水位に応動するフロートを固定し他端にウェイト４５を固定した下流側水位検出機構３２とを、ウェイト３８，４５を近接させて互いに並設し、いずれか一方の前記ウェイト３８，４５に他方のウェイト３８，４５に対向する近接スイッチ４２を設けた。【選択図】    図１
2006307562.tif 000002
【特許請求の範囲】
【請求項１】
一つの固定シーブ（３６）に巻回されたワイヤ（３７）の一端に水路の上流側の水位に応動するフロートを固定し他端にウェイト（３８）を固定した上流側水位検出機構（３１）と、
一つの固定シーブ（４３）に巻回されたワイヤ（４４）の一端に水路の下流側の水位に応動するフロートを固定し他端にウェイト（４５）を固定した下流側水位検出機構（３２）とを、
前記ウェイト（３８，４５）を近接させて互いに並設し、いずれか一方の前記ウェイト（３８，４５）に他方のウェイト（３８，４５）に対向する近接スイッチ（４２）を設けたことを特徴とする水路の水位差検知装置。
【請求項２】
前記ウェイト（３８，４５）の側面に前記ワイヤ（３７，４４）との連結位置を選択できる複数のネジ孔（４１，４６）を形成したことを特徴とする請求項１の水路の水位差検知装置。
【請求項３】
下流側の前記ウェイト（４５）にフラットバー（４７）を取り付けたことを特徴とする請求項１又は２の水路の水位差検知装置。
【発明の詳細な説明】
【技術分野】
【０００１】
本発明は、水路に設けられた除塵機の上流側と下流側との水位を検出して除塵機に付着したごみ類を除去するタイミングを知るための水路の水位差検知装置に関するものである。
【背景技術】
【０００２】
従来、水路に流れるごみ類を捕集するために、バースクリーン等の除塵機が設けられており、この除塵機に多量のごみ類が付着したときには、レーキを駆動して除塵機からごみ類をかき上げて清掃することが行われている。
【０００３】
そこで、水路に設けられた除塵機の上流側と下流側との水位は、除塵機に付着するごみ類の増加により水位差が生じるものであるが、その水位差を自動的に検出し、その検出値に応じて除塵機に付着したごみ類を除去する装置が提案されている。例えば、特許文献１「水路の水位差検知装置」は、図４に示すように、水路内には、バースクリーン１が斜めに設置されている。そして、このバースクリーン１の上下には、図示しない駆動機構に連結されたスプロケット２、３が設けられ、これらのスプロケット２、３に巻回されたチェン４に前記バースクリーン１に沿って移動するレーキ５が固定されている。このレーキ５が下から上に移動することによりバースクリーン１に付着したごみ類が除去されるものである。
【０００４】
次いで、バースクリーン１の上流側と下流側とに開口する導水口６、７が水路の側方まで導通しており、これらの導水口６、７に連通したパイプ８、９が設けられている。これらのパイプ８、９内には、ワイヤ１０、１１が吊り下げられ、これらのワイヤ１０、１１の下端には、フロート１２、１３が取り付けられ、中間部にはウェイト１４、１５が固定されている。そして、前記ワイヤ１０、１１の上端は、第１の回転軸１６及び第２の回転軸１７に固定されたプーリ１８、１９に巻回されており、これらの回転軸１６、１７の端部には、両者の回転差を検出する回転差検知手段２０が結合されている。
【０００５】
特許文献１では、バースクリーン１の上流側と下流側との水位の変化により、フロート１２、１３は上下動するが、上流側と下流側との水位差がない場合には、回転差検知手段２０からの検出信号はない。そこで、バースクリーン１の上流側と下流側とで水位差があると、フロート１２、１３の上下動寸法が相違し、これにより、回転差検知手段２０からの検出信号が発生する。この検出信号が予め定めた所定値を越えると、バースクリーン１に付着したごみ類が除去すべきレベルになったことであり、駆動機構に連結されたスプロケット２、３を駆動してレーキ５を下から上に移動させ、バースクリーン１に付着したごみ類を除去する。除去されたごみ類は、スプロケット３を越えて図示しないごみ受けにより集積して受けられ、かつ、廃棄処理がなされる。
【特許文献１】特開平６−２４０６４４号公報
【０００６】
しかし、このような特許文献１に記載された技術によれば、回転差検知手段２０等の大掛かりな機構を必要とし、また、広い設置スペースも必要とする。このようなことから、図５、図６に示す構造のものが存する。即ち、地表にケーシング２１が設けられ、このケーシング２１の底には二つの開口２２があり、この開口２２を通してワイヤ２３が張り渡されている。このワイヤ２３の下端には、特許文献１で説明したような水路に連通するパイプに設けられたフロートが結合されている。このワイヤ２３は一本であり、ケーシング２１内の上方に設けられた二つのシーブ２４と中央に位置する一つのシーブ２５とに巻回されている。このシーブ２５には、ウェイト２６が取り付けられ、下方のシーブガイド２７で案内されている。そして、ワイヤ２３の一部には、近接スイッチ２８が取り付けられており、この近接スイッチ２８に対向させて位置検出金物２９が位置固定的に設けられている。
【０００７】
この構造においては、ワイヤ２３の下端に設けられたフロートが上流側と下流側との水位に応じて上下動する。上流側と下流側とで差が生じた場合には、ワイヤ２３の移動を生じ、近接スイッチ２８の位置が変化する。これにより、位置検出金物２９との相対位置が変化して水位変化の信号が出る。
【発明の開示】
【発明が解決しようとする課題】
【０００８】
図５、図６に示す従来の水位差検知装置の構造のものにおいては、特許文献１に開示された構造のものに較べてコンパクトに形成されているものであるが、近接スイッチ２８を直接動かして水位差の調整を行うため、水位差の調整が難しいという問題がある。
【０００９】
また、従来の水位差検知装置は、その構造的に中心部にシーブ２５やウェイト２６を配置しなければならないため、中心部にスペースを広くとる必要があり、狭い場所では施工が困難であるという問題がある。
【００１０】
本発明は、かかる問題点を解決するために創案されたものである。すなわち、本発明の目的は、水位差の調整が容易であり、狭い場所でも容易に設置することができる水路の水位差検知装置を提供することにある。
【課題を解決するための手段】
【００１１】
請求項１記載の発明は、一つの固定シーブ（３６）に巻回されたワイヤ（３７）の一端に水路の上流側の水位に応動するフロートを固定し他端にウェイト（３８）を固定した上流側水位検出機構（３１）と、一つの固定シーブ（４３）に巻回されたワイヤ（４４）の一端に水路の下流側の水位に応動するフロートを固定し他端にウェイト（４５）を固定した下流側水位検出機構（３２）とを、前記ウェイト（３８，４５）を近接させて互いに並設し、いずれか一方の前記ウェイト（３８，４５）に他方のウェイト（３８，４５）に対向する近接スイッチ（４２）を設けた。
【００１２】
請求項２記載の発明は、請求項１記載の水路の水位差検知装置において、前記ウェイト（３８，４５）の側面に前記ワイヤ（３７，４４）との連結位置を選択できる複数のネジ孔（４１，４６）を形成した。
請求項３記載の発明は、請求項１又は２記載の水路の水位差検知装置において、下流側の前記ウェイト（４５）にフラットバー（４７）を取り付けた。
【発明の効果】
【００１３】
請求項１記載の発明では、ウェイト（３８，４５）自体を近接スィッチ（４２）が感応する金属としたため、従来のように、中心ウェイトやプーリが不要となり、きわめてコンパクトな構造とすることができる。
請求項２記載の発明では、水位差の調整をきわめて容易に行うことができる。
請求項３記載の発明では、上流水位のハンチングによる誤動作を解消することができる。
【発明を実施するための最良の形態】
【００１４】
本発明は、コンパクトな構造の水位差検知装置とするために、一つの固定シーブに巻回されたワイヤの一端に水路の上流側の水位に応動するフロートを固定し他端にウェイトを固定した上流側水位検出機構と、一つの固定シーブに巻回されたワイヤの一端に水路の下流側の水位に応動するフロートを固定し他端にウェイトを固定した下流側水位検出機構とを、ウェイトを近接させて互いに並設し、いずれか一方のウェイトに他方のウェイトに対向する近接スイッチを設けた。
【実施例１】
【００１５】
以下、本発明の好ましい実施の形態を図面を参照して説明する。
図１は本発明の実施例１の水路の水位差検知装置を示す縦断正面図である。図２は実施例１の水路の水位差検知装置の縦断側面図である。図３は上流側と下流側とのウェイトの関係を示す正面図である。
水路内には、バースクリーンが斜めに設置され、このバースクリーンの上流側と下流側とには、導水口が開口されて水路と離れた所に設置されたパイプ（導波管）に導通し、かつバースクリーンには、下から上に移動することにより溜まったごみ類を除去するレーキが設けられている点は、図４について説明したものと同様である。そこで、まず、ケーシング３０が設けられ、このケーシング３０内には、上流側水位検出機構３１と下流側水位検出機構３２が配設されている。また、上流側水位検出機構３１と下流側水位検出機構３２とに対応する位置に、水路に連通する導水口に接続された二本の防波管３３が垂直に設けられている。これらの防波管３３の上には、防波管３３に昇降自在に取り付けられたフロート（図示せず）の上方への抜け出しを防止するフロート側ストッパ３４が固定されている。
【００１６】
次に、上流側水位検出機構３１について説明する。
ケーシング３０の上方に固定的に設けられた支軸３５には、超高分子樹脂により形成された固定シーブ３６が回転自在に取り付けられ、この固定シーブ３６にはワイヤ３７が巻回されている。このワイヤ３７の一端には、防波管３３内に位置するフロートが結合されており、ワイヤ３７の他端には、ウェイト３８が結合されている。そして、ウェイト３８側の固定シーブ３６に近接した上方位置とケーシング３０の底部付近とには、ワイヤ支持体３９、４０が設けられている（図２参照）。これらのワイヤ支持体３９、４０の間には、図示しないが、ウェイト３８の側面に近接して上下方向に張り渡されたウェイト振れ止めワイヤが設けられている。そのため、ウェイト３８が横方向に振れるのをウェイト振れ止めワイヤが止めている。そこで、ウェイト３８には、上下方向に複数個のネジ孔４１が所定間隔をもって設けられ、いずれかのネジ孔４１が選択されてワイヤ３７に固定されている。また、ウェイト３８の中央よりの面には、近接スイッチ４２が設けられている。
【００１７】
次いで、下流側水位検出機構３２について説明する。
ケーシング３０の上方に固定的に設けられた支軸３５には、固定シーブ３６と同軸的に超高分子樹脂により形成された固定シーブ４３が回転自在に取り付けられ、この固定シーブ４３にはワイヤ４４が巻回されている。このワイヤ４４の一端には、防波管３３内に位置するフロートが結合されており、ワイヤ４４の他端には、金属製のウェイト４５が結合されている。そして、ウェイト４５側の固定シーブ４３に近接した上方位置とケーシング３０の底部付近とには、図示しないがワイヤ支持体３９、４０と同様なワイヤ支持体が設けられている。これらのワイヤ支持体の間には、図示しないが、ウェイト４５の側面に近接して上下方向に張り渡されたウェイト振れ止めワイヤが設けられている。そのため、ウェイト４５が横方向に振れるのをウェイト振れ止めワイヤが止めている。そこで、ウェイト４５には、上下方向に複数個のネジ孔４６が所定間隔をもって設けられ、いずれかのネジ孔４６が選択されてワイヤ４４に固定されている。また、ウェイト４５の上面には、ウェイト３８側に突出してその上方に位置するフラットバー４７が固定されている。そこで、上流側水位検出機構３１と下流側水位検出機構３２とのそれぞれのウェイト３８、４５は、互いに対面するように近接配置されているものであり、特に、近接スイッチ４２は、前記ウェイト４５に近接対向している。
【００１８】
このような構成において、水路に流れる水中のごみ類は、バースクリーンにより掬い取られて、下流に流れることが防止されているが、時間の経過とともに、バースクリーンに溜まるごみ類の量が大きくなってその部分の抵抗が大きくなり、これにより、バースクリーンの上流側と下流側とで水位差が発生する。即ち、上流側の水位が上昇し、下流側が下降するので、その水位に応じて防波管３３内のフロートが上昇又は下降する。このフロートの動きは、ワイヤ３７、４４を介してウェイト３８、４５を上昇又は下降させるが、これらのウェイト３８、４５の動きは、フロートの動きとは逆である。即ち、上流側の水位が上昇するので、上流側のフロートが上昇し、上流側のウェイト３８が下降する。また、下流側のフロートが下降し、下流側のウェイト４５が上昇する。そのため、互いに対面するウェイト３８、４５の相対位置が変化し、近接スィッチ４２が下流側のウェイト４５に対面しなくなる。これにより、近接スィッチ４２から水位差が所定値以上になった旨の信号が出て、レーキ（除塵機）を動かしてバースクリーンに溜まったごみ類を除去する動作が開始される。このようにして、バースクリーンの抵抗が低くなると、上流から下流への水の流れは抵抗なく行われ、これにより、上流側と下流側との水位差はなくなるので、フロートは復帰動作し、ウェイト３８、４５は元の位置に復帰する。この過程において、ウェイト３８、４５は互いに対面する位置に戻り、近接スイッチ４２が下流側のウェイト４５に対面し、水位差がないことを検出している状態になる。
【００１９】
このような動作を行わせることを目的に、水位差検知装置は設置される。しかし、この設置作業時に、近接スィッチ４２による検出位置を調整しなければならない場合がある。このときには、結局は水位差調節になるので、ワイヤ３７、４４との間でウェイト３８、４５を固定する位置を調整するために、いずれかのネジ孔４１、４６を選択して固定位置を選択し直すことにより、近接スイッチ４２による検出タイミングの調整ができる。
【００２０】
つぎに、前述の動作中、下流側のウェイト４５の上方への最大移動量は、下流側に設けられたフロート側ストッパにより規制され、無制限に上昇することはない。一方、上流側のウェイト３８は、フラットバー４７により上昇位置は規制され、それ以上に上昇することはない。特に、フラットバー４７は、波による上流水位のハンチングによる誤動作を解消するために設けられているものである。
【００２１】
なお、本発明は、ウェイト３８，４５自体を近接スィッチ４２が感応する金属とすることで、水位差の調整が容易であり、狭い場所でも容易に設置することができる構造であれば、上述した発明の実施の形態に限定されず、本発明の要旨を逸脱しない範囲で種々変更できることは勿論である。
【産業上の利用可能性】
【００２２】
本発明の水路の水位差検知装置は、主に水路に設けられた除塵機の上流側と下流側との水位を検出して除塵機に付着したごみ類を除去するタイミングを知るためなどに利用することができる。
【図面の簡単な説明】
【００２３】
【図１】本発明の実施例１の水路の水位差検知装置を示す縦断正面図である。
【図２】実施例１の水路の水位差検知装置の縦断側面図である。
【図３】上流側と下流側とのウェイトの関係を示す正面図である。
【図４】従来の水位差検知装置の一例を示す正面図である。
【図５】従来の水位差検知装置の他の例を示す縦断正面図である。
【図６】従来の水位差検知装置の他の例の縦断側面図である。
【符号の説明】
【００２４】
３１  上流側水位検出機構
３２  下流側水位検出機構
３６  固定シーブ
３７  ワイヤ
３８  ウェイト
４１  ネジ孔
４２  近接スイッチ
４３  固定シーブ
４４  ワイヤ
４５  ウェイト
４６  ネジ孔
４７  フラットバー
【図１】
2006307562.tif 000003
【図２】
2006307562.tif 000004
【図３】
2006307562.tif 000005
【図４】
2006307562.tif 000006
【図５】
2006307562.tif 000007
【図６】
2006307562.tif 000008